(57)【特許請求の範囲】
【請求項１】
上部に開口が形成されたハウジング本体と、
前記ハウジング本体の底に載せられる状態で配置される固定リングと、
前記固定リングの上に設置される第１のベアリングと、
前記第１のベアリングの上部に配置される第１の回転リングと、
前記第１の回転リングの上部に配置される第２のベアリングと、
前記第２のベアリングの上部に転がり回転が可能に配置される第２の回転リングと、
前記第１の回転リングと第２の回転リングの内側に収容されて外面に多数の指圧ピンが突出形成された指圧具と、
前記指圧具を回転可能に支持すると同時に前記第２の回転リングに回転可能に設置されるクランプと、を含み、
前記ハウジング本体の上端枠には、前記開口の内側へ折り曲げられた離脱防止突起が形成され、前記離脱防止突起と第２の回転リングとの間には、ボールベアリングが介在すること
を特徴とするボール指圧器。
【請求項２】
前記ハウジング本体は、上下方向に分割結合が可能に上部ハウジングと下部ハウジングとで構成されることを特徴とする請求項１に記載のボール指圧器。
【請求項３】
前記第２の回転リングの外周縁のまわりには、前記ボールベアリングが収容される収容溝が等間隔で形成されることを特徴とする請求項１に記載のボール指圧器。
【請求項４】
前記クランプと指圧具との間には補助ベアリングが介在することを特徴とする請求項１に記載のボール指圧器。
【請求項５】
前記第１のベアリングと第２のベアリングは、各々円周方向に沿って多数の結合穴が形成された円板部材と、前記円板部材の結合穴に転がり可能に結合されるボールと、で構成され、前記ボールと接して回転する前記第１の回転リング、第２の回転リングの上面または下面には湾曲溝が形成されたことを特徴とする請求項１に記載のボール指圧器。
【請求項６】
前記指圧具は、上下方向に分割結合される第１の指圧具及び第２の指圧具と、前記第１の指圧具と第２の指圧具の外周面から着脱可能に結合される突起部材と、で構成されたことを特徴とする請求項１乃至請求項５のいずれか１項に記載のボール指圧器。
【請求項７】
前記指圧具の内部には、前記第１の指圧具と第２の指圧具の結束力を高めるための結合手段が設置されることを特徴とする請求項６に記載のボール指圧器。
【請求項８】
前記クランプに形成されるヒンジ棒は、一端と他端が偏心折曲された構造からなったことを特徴とする請求項６に記載のボール指圧器。
【請求項９】
前記突起部材は、使用者の趣向に合わせた多様な素材で製作されることを特徴とする請求項８に記載のボール指圧器。
【請求項１０】
前記上部ハウジングの外面両側には、貫通穴が設けられた掛止部が形成されたことを特徴とする請求項２に記載のボール指圧器。
【請求項１１】
前記下部ハウジングの底面には、すべり防止パッドが設置されたことを特徴とする請求項１０に記載のボール指圧器。
【発明の詳細な説明】
【技術分野】
【０００１】
本発明は、ボール指圧器に関し、特に、内部構成品を安定的に固定させると同時にスムーズに回転作用を実行することができるボール指圧器に関する。
【背景技術】
【０００２】
一般的に、指圧器は外部から突き出された突起部が身体の特定部位を集中的に加圧することで血液循環を良くする器具である。
【０００３】
最近、指圧効果を極大化させることができる多様な構造の器具が開示されており、その代表的な例として、大韓民国登録特許第０７１０５１６号(以下、「従来技術」と言う。)に記載されたボール形態の指圧具を具備した指圧器に対して概略的に説明する。
【０００４】
図１に示したように、従来技術による指圧器１００は、開口された中空のハウジング１１０と、前記ハウジング１１０内に円周方向に設置されたベアリング１３０と、前記ベアリング１３０の下部と上部に各々設置されて転がり可能に設置された下部リング１２０及び上部リング１４０と、前記上部リング１４０の対向する位置に各々回転可能に結合されるヒンジ棒１６２と前記２個のヒンジ棒１６２の間に形成されるベアリング１６１とを含むクランプ１６０と、ベアリング１６１により前記クランプ１６０に対して回転自在に設置されその外周面には多数の指圧ピン１５１が突出形成された指圧具１５０と、を含んで構成される。
【発明の概要】
【発明が解決しようとする課題】
【０００５】
しかし、従来技術による指圧器は、ハウジングの開口された中空に前記下部リング、ベアリング及び上部リングが順次に積層されて結合される単純挿入式結合構造として、前記ハウジングの開口された中空を垂直方向に立てるか下側方向に返す場合、その内部の構成品が全て離脱するので、携帯性に制約があるだけではなく、前記ハウジングが所定高さから下に落ちる場合、その衝撃により前記指圧器を構成する各構成品が破損しやすい問題点があった。
【０００６】
また、前記下部リングはハウジングの係止突起と接している状態として、回転が不可能な状態であるため、前記上部リングの回転力だけでは前記指圧具を円滑に回転させることが困難であった。
【０００７】
したがって、本発明は前述のような問題点を解決すべくなされたものであって、その目的は、ハウジング内部に設置された各構成品を安定的に保護するだけではなく一層スムーズに回転作動するボール指圧器を提供することにある。
【課題を解決するための手段】
【０００８】
上述の目的を達成するために本発明に係るボール指圧器は、上部に開口が形成されたハウジング本体と、前記ハウジング本体の底に載せられる状態で配置される固定リングと、前記固定リングの上に設置される第１のベアリングと、前記第１のベアリングの上部に配置される第１の回転リングと、前記第１の回転リングの上部に配置される第２のベアリングと、前記第２のベアリングの上部に回転可能に配置される第２の回転リングと、前記第１の回転リングと第２の回転リングの内側に収容されて外面に多数の指圧ピンが突出形成された指圧具と、前記指圧具を回転可能に支持すると同時に前記第２の回転リングに回転可能に設置されるクランプと、を含み、前記ハウジング本体の上端枠には前記開口の内側に折り曲げられた離脱防止突起が形成され、前記離脱防止突起と第２の回転リングとの間にはボールベアリングが介在することを特徴とする。
【０００９】
また、前記ハウジング本体は、上下方向に分割結合が可能に上部ハウジングと下部ハウジングとで構成されることを特徴とする。
【００１０】
また、前記第２の回転リングの外周縁のまわりには前記ボールベアリングが収容される収容溝が等間隔に形成されることを特徴とする。
【００１１】
また、前記クランプと指圧具との間には、補助ベアリングが介在することを特徴とする。
【００１２】
特に、前記第１のベアリングと第２のベアリングは、各々円周方向に沿って多数の結合穴が形成された円板部材と、前記円板部材の結合穴に転がり可能に結合されるボールと、で構成され、前記ボールと接して回転する前記第１の回転リング、第２の回転リングの上面または下面には、湾曲溝が形成されたことを特徴とする。
【００１３】
また、前記指圧具は、上下方向に分割結合される第１の指圧具及び第２の指圧具と、前記第１の指圧具と第２の指圧具の外周面から着脱可能に結合される突起部材と、で構成されたことを特徴とする。
【００１４】
一方、前記指圧具の内部には、前記第１の指圧具と第２の指圧具の結束力を高めるための結合手段が設置されることを特徴とする。
【００１５】
また、前記クランプに形成されるヒンジ棒は、一端と他端が偏心折曲された構造からなったことを特徴とする。
【００１６】
特に、前記突起部材は、使用者の趣向によって多様な素材で製作されることを特徴とする。
【００１７】
また、前記上部ハウジングの外面両側に貫通穴が設けられた掛止部が形成されたことを特徴とする。
【００１８】
また、前記下部ハウジングの底面にはすべり防止パッドが設置されたことを特徴とする。
【発明の効果】
【００１９】
本発明によれば、ハウジング本体には離脱防止突起が形成されることで、内部に設置された構成品が外部に離脱するか破損することを防止して、製品使用用途の多様化及び使用上の便利性など機能的な効率性を一層向上させることができ、前記ハウジング本体内に配置される固定リング、第１の回転リング及び第２の回転リングの間には、各々の第１のベアリングと第２のベアリングが介在し、上部ハウジングの離脱防止突起と第２の回転リングとの間には多数のボールベアリングが介在しているので、前記第１の回転リングと第２の回転リングの回転時に摩擦抵抗が大きく減少してよりスムーズで且つ円滑な回転力で回転させることができる。
【００２０】
また、前記クランプに形成されるヒンジ棒は、一端と他端が偏心湾曲された構造からなることにより、指圧具を３６０度のすべての回転方向に対して持続的で迅速に回転可能にする効果がある。
【図面の簡単な説明】
【００２１】
【図１】従来技術に係る指圧器の構成を示す断面図である。
【図２】本発明に係るボール指圧器を示す斜視図である。
【図３】図２の分解斜視図である。
【図４】図２の断面図である。
【図５】図２の上部ハウジングに形成された掛止部の他の実施形態を示す平面図である。
【図６】図２のヒンジ棒の構造に対する多様な実施例を示す平面図である。
【発明を実施するための形態】
【００２２】
以下、本発明の好ましい実施形態について添付された図２乃至図６を参照して詳細に説明する。
【００２３】
図示したように、本発明に係る指圧器１０００は、ハウジング本体１００と、前記ハウジング本体１００の底に載せられる状態で配置される固定リング２００と、前記固定リング２００上に設置される第１のベアリング３００と、前記第１のベアリング３００の上部に転がり可能に設置される第１の回転リング４００と、前記第１の回転リング４００のまわり方向に沿って形成された湾曲溝４１０に配置される第２のベアリング５００と、前記第２のベアリング５００の上部に転がり可能に設置される第２の回転リング６００と、前記第２の回転リング６００に回転可能に結合されて後述する指圧具８００を回転可能に支持するクランプ７００と、前記クランプ７００により自由に回転しまわり方向に多数の指圧ピン８０１が突出形成されたボール(ｂａｌｌ)形状の指圧具８００と、を含んで構成される。
【００２４】
まず、前記ハウジング本体１００は、前記指圧具８００が多様な方向に回転可能に一部を収容する函体として、相互分割結合が可能に上部ハウジング１１０と下部ハウジング１２０とで構成することが好ましい。しかし、上部ハウジング１１０と下部ハウジング１２０を一体に形成してもよい。
【００２５】
そして、前記下部ハウジング１２０の外周面は、上部から下部に行くほど幅が狭くなる上広下狭の構造で形成して外観の形態がスリムに見せるようにすることがよい。
【００２６】
前記上部ハウジング１１０は、おおよそ中空円筒状部材として、上端には中空の内側に向かって折り曲げられた構造の離脱防止突起１１１が形成される。
【００２７】
前記離脱防止突起１１１は、前記ハウジング本体１００が所定の高さから落ちても後述する内部の構成品が外部に離脱することを根本的に遮断する役目を実行する。
【００２８】
また、前記上部ハウジング１１０の外面両側には、別途のロック装置が締結されるように貫通穴１１２aを具備した掛止部１１２を形成して携帯性を高めて、盗難または紛失事故などを予防する機能を提供する。
【００２９】
図示しなかったが前記掛止部１１２の貫通穴１１２ａには、使用者が手でハウジング本体１００をつかまないで装着する状態で指圧器を使うように、使用者の手を囲む状態で固定させるベルクロ（登録商標）帯(図示せず)を追加的に構成することができる。
【００３０】
さらに、図５に示したように、前記掛止部１１２は、ベルクロ（登録商標）帯を使用せず細い連結帯を編んで携帯できるように、２個以上の貫通穴１１２ａが貫通形成される構造で製作することができる。
【００３１】
また、前記上部ハウジング１１０の外面には多様な形態の広告を刻んで広報効果を高めることができる。
【００３２】
前記下部ハウジング１２０は、前記上部ハウジング１１０に対して着脱可能に係合される締結部１２１がそのまわり方向に沿って形成される。
【００３３】
ここで、前記締結部１２１は、係合用突起を形成して前記上部ハウジング１１０に係合される構造で図示したが、必ずしもこれに限定されるものではなく、ネジ部を形成して螺合式構造で製作してもよい。
【００３４】
また、前記下部ハウジング１２０の内周面のまわりには円周方向に沿って所定の間隔を置いて形成される多数の支持片１２２が形成される。
【００３５】
また、前記下部ハウジングの底面には、設置面に対して安定的に固定されるようにすべり防止パッド１２３が設置される。
【００３６】
このように構成されたハウジング本体１００は、着脱可能な構造からなることにより、内部構成品に対して維持補修及び点検を一層効率的に実行できるだけではなく、前記上部ハウジング１１０に形成された離脱防止突起１１１により外部の衝撃から内部構成品が離脱するか破損することを防止することができる効果がある。
【００３７】
一方、前記ハウジング本体１００の内には、固定リング２００、第１のベアリング３００、第１の回転リング４００、第２のベアリング５００、第２の回転リング６００、クランプ７００、指圧具８００の構成要素が順次に積層配列される構造で結合される。
【００３８】
まず、前記固定リング２００は、中空の円板として、前記下部ハウジング１２０の支持片１２２に載せられる状態で第１のベアリング３００を支持する役目を実行し、円板の上面には、前記第１のベアリング３００の転がり作用を容易にする湾曲溝２１０が形成される。勿論、前記湾曲溝２１０の面は滑らかに加工される。
【００３９】
前記第１のベアリング３００と第２のベアリング５００は、円周方向に沿って多数の結合穴３０１、５０１が形成された円板部材３１０、５１０と、前記円板部材３１０、５１０の結合穴３０１、５０１に転がり可能に結合されるボール３２０、５２０と、で構成される。
【００４０】
前記第１の回転リング４００と第２の回転リング６００は、前記固定リング２００と同一な直径を有する円板として、前記第１のベアリング３００と第２のベアリング５００を通じて円滑に回転するようになる。
【００４１】
特に、前記第１の回転リング４００の上・下面には、各々前記第２のベアリング５００及び第１のベアリング３００と接して転がり作用する湾曲溝４１０、４２０が各々形成される。
【００４２】
前記第２の回転リング６００の下面には、前記第２のベアリング５００と接して転がり作用する湾曲溝６０２が形成される。
【００４３】
すなわち、前記固定リング２００と第１の回転リング４００との間及び第１の回転リング４００と第２の回転リング６００との間には、各々第１のベアリング３００と第２のベアリング５００が介在することで、前記第１の回転リング４００と第２の回転リング６００の相互相対回転による摩擦抵抗が大きく減って一層スムーズで且つ円滑な回転が可能になる。
【００４４】
さらに、前記第２の回転リング６００の回転中心に対して対向する両側面には、後述するクランプ７００が回転可能に結合される結合部６１０が形成される。
【００４５】
また、前記上部ハウジング１１０の離脱防止突起１１１と第２の回転リング６００との間には、多数のボールベアリング９００が介在する。前記ボールベアリング９００は、前記第２の回転リング６００の外周縁のまわりに等間隔で形成された収容溝６０１に各々収容された状態で第２の回転リング６００と離脱防止突起１１１の内面の間の相対回転を支持する。
【００４６】
前記ボールベアリング９００は、前記第２の回転リング６００の回転作用時に、上部ハウジング１１０の離脱防止突起１１１と第２の回転リング６００が相互接して摩擦することにより回転力が低減される現象を防止する役目を果たす。
【００４７】
前記クランプ７００は、リング形状として、後述する指圧具８００の外周面の中心部まわりを取り囲む形態で設置されるリング結合具７３０と、前記リング結合具７３０の中心に対して対向する側に形成されたヒンジ棒７１０と、を含む。
【００４８】
前記第２の回転リング６００に形成された結合部６１０にヒンジ棒７１０が回転可能に係合される。
【００４９】
ここで、前記ヒンジ棒７１０は、図２に示したように、一端が前記結合部６１０に結合された状態で他端はリング結合具７３０に対して偏心固定されるように大略「Ｚ」字状で折り曲げて形成されることが好ましいが、必ずしもこれに限定されるのもではなく、図６に示したように、前記ヒンジ棒７１０の上下方向または左右方向に対して一端が偏心される多様な形態の構造で形成してもよい。
【００５０】
これは、指圧具８００を作動させる力が指圧具８００の軸中心からヒンジ棒７１０と結合部６１０のヒンジ点を連結する一直線上で作用する時、ヒンジ棒７１０を中心として第２の回転リング６００の一方に速く回転しようとする力を発生させて指圧具８００がヒンジ棒７１０の方に容易に回転されるようにするためである。
【００５１】
すなわち、偏心されたヒンジ棒７１０により前記ヒンジ棒７１０の方に力が作用しても指圧具８００は停止しないで３６０度のすべての方向に対して持続的に速かに回転される。
【００５２】
そして、前記クランプ７００と指圧具８００との間には、補助ベアリング７２０が介在して前記指圧具８００を縦方向と横方向に回転可能にすることが好ましい。
【００５３】
一方、前記指圧具８００は、ボール形状の構成要素として、前記クランプ７００により回転可能に結合される。
【００５４】
具体的に、前記指圧具８００は、上下方向に分割結合される第１の指圧具８１０及び第２の指圧具８２０と、前記第１の指圧具８１０と第２の指圧具８２０の外周面に着脱可能に結合される突起部材８３０と、で構成することができる。
【００５５】
もちろん、前記指圧具８００は、補助ベアリング７２０がない中空の形状として、突起部材８３０のみで構成してもよい。
【００５６】
前記指圧具８００の内部中心には、前記第１の指圧具８１０と第２の指圧具８２０の相互結合の結束力を高めるための結合手段８４０が設置される。
【００５７】
前記結合手段８４０では、ネジボルト、磁石などの多様な結合道具を適用することができる。
【００５８】
前記突起部材８３０の表面に形成される指圧ピン８０１は、円錐形態で形成されているが、必ずしもこれに限定されるものではなく、多様な大きさ及び形態の構造で形成してもよい。
【００５９】
特に、前記突起部材８３０は、第１の指圧具８１０及び第２の指圧具８２０に対して着脱可能に結合されるもので、使用者の身体的特性または趣向に合わせて金属、シリコーン、ゴム、玉、木などの多様な素材で製作することが可能なので、使用者の満足感を一層高める長所がある。
【００６０】
勿論、前記突起部材８３０とその外面に形成される指圧ピン８０１は、お互いに異なる素材で製作して一体化することができる。
【００６１】
このように構成された本発明に係るボール指圧器１０００は、ハウジング本体１００に離脱防止突起１１１が形成されることで、内部に設置された構成品が外部に離脱するか破損することを防止して製品使用用途の多様化及び使用上の便利性など機能的効率性を一層向上させることができ、前記ハウジング本体１００内に配置される固定リング２００と 第１の回転リング４００との間及び第１の回転リング４００と第２の回転リング６００の間には、各々の第１のベアリング３００と第２のベアリング５００が介在しており、上部ハウジング１１０の離脱防止突起１１１と第２の回転リング６００との間には、多数のボールベアリング９００が介在しているので、前記第１の回転リング４００と第２の回転リング６００の摩擦抵抗が従来に比べて大きく減って一層スムーズで円滑な回転が可能である。
【００６２】
また、突起部材は、着脱可能に結合されて多様な素材で製作できるので、使用者の趣向による満足感を一層向上させる効果がある。
【図１】
0005462980.tif 000002
【図２】
0005462980.tif 000003
【図３】
0005462980.tif 000004
【図４】
0005462980.tif 000005
【図５】
0005462980.tif 000006
【図６】
0005462980.tif 000007